(57)【要約】【課題】外装ケースに溶接やビスで固定する部材を用いることなく外装ケース内に電装ケースを取付け可能とする温水装置の電装ケース取付構造を提供する。【解決手段】給湯器(1) の外装ケース(2) 内に制御基板収納用の電装ケース(9) を取付ける温水装置(1) の電装ケース取付構は、前記外装ケース(2) 内に固定された中和器(7) の前面側に位置する本体部(31)と、前記中和器(7) の前面に当接する当接部(32)と、前記中和器(7) の背面に係止される係止部(33)と、前記当接部(32)から離隔した部位に形成された支持部(34)と、前記電装ケース(9) を固定する固定部(35)とを有する取付金具(30)を備えると共に、前記支持部(34)を前記外装ケース(2) 内のバーナー付属機器取付板(25)に連結する補助金具(40)を備えている。【選択図】図２
2018096547.tif 000002
【特許請求の範囲】
【請求項１】
温水装置の外装ケース内に制御基板収納用の電装ケースを取付ける取付構造において、  前記外装ケース内に固定された所定の機器の前面側に位置する本体部と、前記機器の前面に当接する当接部と、前記機器の背面に係止される係止部と、前記電装ケースを固定する固定部とを有する取付金具を備えたことを特徴とする温水装置の電装ケース取付構造。
【請求項２】
前記取付金具は前記当接部から離隔した部位に形成された支持部を有し、
前記支持部を前記外装ケース内の特定の機器の付属部材に連結する補助金具を備えたことを特徴とする請求項１に記載の温水装置の電装ケース取付構造。
【請求項３】
前記機器は所定の前後幅を有する中和器であり、
前記係止部は前記中和器の上面近傍に沿って後方に延びていることを特徴とする請求項１又は２に記載の温水装置の電装ケース取付構造。
【請求項４】
前記中和器が、中和器本体と、この中和器本体の上端に連なるキャップ取付部とを有し、前記係止部が前記キャップ取付部に係止されることを特徴とする請求項３に記載の温水装置の電装ケース取付構造。
【発明の詳細な説明】
【技術分野】
【０００１】
本発明は、温水装置の外装ケース内に電装ケースを取付ける取付構造に関し、特に電装ケースを外装ケース内に固定された所定の機器を利用して取付ける取付構造に関する。
【背景技術】
【０００２】
温水装置の外装ケース内には種々の機器類と配管類と制御基板収納用の電装ケース等が組み込まれる。通常、機器類のうちの主要な機器は外装ケースの内面に溶接した支持部材や支持片に支持させる形態に組み付けられる。
【０００３】
例えば、特許文献１に記載の電装ケース付き装置においては、外装ケースの背面板と側面板の内面に夫々固定した２つのブラケットに電装ケースの下端部と上端部とを連結支持する構造が採用されている。
【０００４】
特許文献２に記載の温水機器ユニットにおいては、外装ケース内に電装基板を取付けるブラケットの一端側の突片部の上部と下部の係合部に切欠凹部を夫々形成し、外装ケースの側面板の内面に係合部材を溶接等で固定し、この係合部材の上部と下部の係合部に切欠凹部を夫々形成してある。
【０００５】
電装基板付きブラケットを外装ケース内に収納する場合は、ブラケット側の上下１対の切欠凹部を外装ケース内側から側面板側の上下１対の切欠凹部に係合させて支持する。
メンテナンス時に電装基板付きブラケットを外装ケースの外側に位置させる場合には、電装基板付きブラケットを外装ケース外へ取り出し、ブラケット側の上下１対の切欠凹部を外装ケース外から側面板側の上下１対の切欠凹部に係合させて支持する。
【先行技術文献】
【特許文献】
【０００６】
【特許文献１】特開平１０−２８１５６０号公報
【特許文献２】特開２００９−１９２１６７号公報
【発明の概要】
【発明が解決しようとする課題】
【０００７】
従来の外装ケースは製作後に塗装を施すので、外装ケースの内面に、特許文献１，２のように、機器取付け用の支持部材や支持片を溶接にて固定することができた。
しかし、最近のように、外装ケースをカラー鋼板を用いて製作する場合は、外装ケースの内面に機器取付け用の支持部材や支持片を溶接にて固定することができないため、機器類の取付けや固定支持が困難になる場合が生じる。支持部材や支持片をビス固定すると、外装ケースの外観の意匠性が低下するため、ビス固定も採用できない。
【０００８】
本発明の目的は、外装ケースに溶接やビスで固定する部材を用いることなく外装ケース内に電装ケースを取付け可能とする温水装置の電装ケース取付構造を提供することである。
【課題を解決するための手段】
【０００９】
請求項１の温水装置の電装ケース取付構造は、温水装置の外装ケース内に制御基板収納用の電装ケースを取付ける取付構造において、前記外装ケース内に固定された所定の機器の前面側に位置する本体部と、前記機器の前面に当接する当接部と、前記機器の背面に係止される係止部と、前記電装ケースを固定する固定部とを有する取付金具を備えたことを特徴としている。
【００１０】
請求項２の温水装置の電装ケース取付構造は、請求項１の発明において、前記取付金具は前記当接部から離隔した部位に形成された支持部を有し、前記支持部を前記外装ケース内の特定の機器の付属部材に連結する補助金具を備えたことを特徴としている。
【００１１】
請求項３の温水装置の電装ケース取付構造は、請求項１又は２の発明において、前記機器は所定の前後幅を有する中和器であり、前記係止部は前記中和器の上面近傍に沿って後方に延びていることを特徴としている。
【００１２】
請求項４の温水装置の電装ケース取付構造は、請求項３の発明において、前記中和器が、中和器本体と、この中和器本体の上端に連なるキャップ取付部とを有し、前記係止部が前記キャップ取付部に係止されることを特徴としている。
【発明の効果】
【００１３】
請求項１の発明によれば、取付金具が所定の機器の前面側に位置する本体部と、前記機器の前面に当接する当接部と、前記機器の背面に係止される係止部と、電装ケースを固定する固定部とを備えているため、当接部を機器の前面に当接させ、係止部を機器の背面に係止させることにより取付金具を前記機器に固定し、固定部に電装ケースを固定することができる。このように、外装ケースに直接固定する部材を用いることなく、簡単な構造の取付金具を用いて、電装ケースを外装ケース内に固定することできる。
【００１４】
請求項２の発明によれば、取付金具は前記当接部から離隔した支持部を有し、前記支持部を前記外装ケース内の特定の機器の付属部材に連結する補助金具を設けるため、補助金具により前記支持部を前記付属部材に支持させることができる。
【００１５】
請求項３の発明によれば、前記機器は所定の前後幅を有する中和器であり、前記係止部は前記中和器の上面近傍に沿って後方に延びているため、前後幅を有し剛性のある中和器に取付金具を支持させることができる。
【００１６】
請求項４の発明によれば、前記中和器が、中和器本体と、この中和器本体の上端に連なるキャップ取付部とを有し、前記係止部が前記キャップ取付部に係止されるため、前記係止部をキャップ取付部に係止させることで、取付金具を容易に取付けることができる。
【図面の簡単な説明】
【００１７】
【図１】本発明の実施例に係る給湯器（前面カバー取り外し状態）の正面図である。
【図２】給湯器の斜視図である。
【図３】給湯器の斜視図である。
【図４】給湯器の斜視図である。
【図５】取付金具の斜視図である。
【図６】取付金具の斜視図である。
【図７】補助金具の斜視図である。
【図８】補助金具の斜視図である。
【図９】電装ケースの分解斜視図である。
【発明を実施するための形態】
【００１８】
次に、本発明を実施するための形態について実施例に基づいて説明する。
【実施例】
【００１９】
図１〜図４に示すように、給湯器１はガス燃焼式の温水装置であり、カラー鋼板製の箱状の外装ケース２内に、送風ファン３、ガス燃焼バーナー４、１次熱交換器５（顕熱回収用熱交換器）、２次熱交換器６（潜熱回収用熱交換器）、２次熱交換器６から発生するドレンを中和する中和器７、暖房用熱媒（水）を収容する膨張タンク８、制御基板収納用の電装ケース９、警報端子箱１０等の機器類と、燃焼排ガスを放出する排気筒１１の一部と、配管類とが収容されている。以下、図２に示すように前後と左右と上下の各方向を定義して説明する。
【００２０】
外装ケース２は、上面板２０と左側板２１と右側板２２と底面板２３と背面板（図示略）と前面カバー（図示略）とで箱状に構成され、上面板２０と左側板２１と右側板２２の前端部にはフランジ２ａが形成されている。背面板の上端部と下端部には、上方と下方へ突出する温水装置取付板２４が固定され、この温水装置取付板２４を複数のビスで壁面に固定することで給湯器１が壁面に取付けられる。
【００２１】
給湯器１の電装ケース取付構造は、給湯器１の外装ケース２内に制御基板収納用の電装ケース９を取付ける取付構造である。
図２〜図６に示すように、電装ケース取付構造の取付金具３０は、外装ケース２内に固定された中和器７（所定の機器）の前面側に位置する本体部３１と、中和器７の前面に当接する当接部３２と、中和器７の背面に係止される係止部３３と、当接部３２から左方に離隔した左端部に形成された支持部３４と、電装ケース９を固定する固定部３５とを有する。図３〜図７に示すように、電装ケース取付構造は、取付金具３０の他に、支持部３４を外装ケース２内のバーナー付属機器取付板２５（特定の機器の付属部材）に連結する補助金具４０を備えている。
【００２２】
図１、図２に示すように、中和器７は所定の前後幅を有し、この中和器７は、中和器本体７ａと、この中和器本体７ａの上端に連なるキャップ取付部７ｂと、ドレン管接続部７ｃと、キャップ取付部７ｂに形成された２つの中和剤投入口を蓋する２つのキャップ７ｄと、中和器７の左側部に一体形成された鉛直の台形板状の支持ブラケット７ｅとを有する。
【００２３】
図５、図６に示すように、取付金具３０の本体部３１は、逆Ｔ形に形成されてその上端から後方へ延びるように係止部３３が形成され、本体部３１の右端部から後方へ延びるように当接部３２が形成され、左端部から後方へ延びるように支持部３４が形成され、下端側部位の左端部と右端寄り部位に電装ケース９を固定する２つの固定部３５が形成されている。前記の本体部３１は、中和器７の前面から前方へ小距離だけ離隔状に配設されている。
【００２４】
図２〜図６に示すように、取付金具３０の係止部３３は、本体部３１の上端から中和器７のキャップ取付部７ｂの上面近傍に沿って後方に水平に延びる腕部３３ａと、この腕部３３ａの後端から下方へ折曲された係止爪部３３ｂとを有し、この係止爪部３３ｂがキャップ取付部７ｂの後面に係止される。
【００２５】
取付金具３０の当接部３２は、本体部３１の右端部から後方へ所定長さ伸びる腕部３２ａと、この腕部３２ａの後端から左方へ折曲させた当接片３２ｂとを有し、当接片３２ｂが中和器７の中和器本体７ａの前面に当接される。
【００２６】
取付金具３０の支持部３４は、本体部３１の左端から後方へ所定長さ延びる腕部３４ａと、この腕部３４ａから左方へ直角に折曲させた支持片３４ｂとを有し、この支持片３４ｂには１つのビス穴３４ｃが形成されている。
【００２７】
図２、図５、図６、図９に示すように、電装ケース９は、ケース本体３６と蓋部材３７とを有し、蓋部材３７の下端の連結部をケース本体３６の連結部３６ａに連結し、蓋部材３７の３つの係合爪３７ａをケース本体３６の係合部３６ａに夫々係合させることで、電装ケース９は箱状になる。
【００２８】
取付金具３０の２つの固定部３５にはビス穴が夫々形成されており、電装ケース９の上端の２つの取付部３６ｂが２つの固定部３５に夫々ビス３８で締結される。
電装ケース９の下端部の左端側部位には下方へ突出するロッド部３６ｃが形成され、このロッド部３６ｃを底面板２３の左端寄り部位に形成されたロッド支持孔（図示略）に嵌入することで、電装ケース９の下端部が支持されている。
【００２９】
図４、図７、図８に示すように、補助金具４０は、前端部材４１と、この前端部材４１の左端側部位から後方へ所内長さ水平に延びる腕部材４２と有する。前端部材４１は、正面視クランク状の本体部４１ａと、この本体部４１ａの左端部に前方へ一段段上がりする屈曲状に一体形成された左端連結部４１ｂと、本体部４１ａの右端に形成された右端連結部４１ｃと、本体部４１ａの上端から後方へ折曲されたフランジ部４１ｄとを有する。
【００３０】
左端連結部４１ｂには、２つのビス穴４３ａ，４３ｂが形成され、右端連結部４１ｃには２つのビス穴４４が形成される共にその下端から前方へ折曲させた折曲片４５が形成されている。前記の腕部４２の後端には、下方へ折曲された係止爪４２ａが形成されている。
【００３１】
図３、図４に示すように、中和器７の背面側近傍には、鉛直姿勢のバーナー付属機器取付板２５が中和器７と平行に配設されている。補助金具４０は、この取付板２５の左端側の下端部から下方且つ左方へ張り出す状態に配設され、右端連結部４１ｃはその２つのビス穴４４に螺合させたビス４６で締結することで取付板２５に固定されている。
【００３２】
取付金具３０の支持部３４の支持片３４ｂと左端連結部４１ｂの間に中和器７の支持ブラケット７ｅを挟持した状態で、支持片３４ｂと支持ブラケット７ｅと左端連結部４１ｂとをビス４８で共締めすることで、支持部３４と左端連結部４１ｂとが中和器７に連結されている。左端連結部４１ｂはビス穴４３ａに螺合させたビス４７で膨張タンク８に締結固定されている。腕部４２の係止爪４２ａは、バーナーケース支え板４９の後面に係止されている。
【００３３】
次に、以上説明した給湯器の電装ケース取付構造の作用、効果について説明する。
取付金具３０が、中和器７の前面側に位置する本体部３１と、中和器７の前面に当接する当接部３２と、中和器７の背面に係止される係止部３３と、電装ケース９を固定する固定部３５とを備えているため、当接部３２を中和器７の前面に当接させ、係止部３３を中和器７の背面に係止させることにより取付金具３０を中和器７に支持させ、固定部３５に電装ケース９を固定することができる。
【００３４】
このように、外装ケース２に直接固定する部材を用いることなく、簡単な構造の取付金具３０を用いて、電装ケース９を外装ケース２内に固定することできる。
取付金具３０は当接部３２から離隔した支持部３４を有し、支持部３４を外装ケース２内のバーナー付属機器取付板２５に連結する補助金具４０を設けるため、補助金具４０により支持部３４を前記の取付板２５に支持させることができる。
【００３５】
また、前記支持部３４と、補助金具４０の左端連結部４１ｂとの間に、中和器７の支持ブラケット７ｅを共締めにより締結し、左端連結部４１ｂを膨張タンク８にビス４７で固定するため、膨張タンク８により補助金具４０と中和器７と取付金具３０を支持することができる。
【００３６】
補助金具４０の腕部４２の係止爪４２ａは、バーナーケース支え板４９の後面に係止されているため、前記取付板２５と取付金具３０を前方移動しないように規制し、電装ケース９の位置を所期の位置に保持することができる。
【００３７】
前記中和器７は所定の前後幅を有し、前記係止部３３は中和器７の上面近傍に沿って後方に延びているため、前後幅を有し剛性のある中和器７に取付金具３０を支持させることができる。
【００３８】
前記中和器７が、中和器本体７ａと、この中和器本体７ａの上端に連なるキャップ取付部７ｂとを有し、係止部３３がキャップ取付部７ｂに係止されるため、係止部３３をキャップ取付部７ｂに係止させるため、取付金具３０を容易に取付けることができる。
【００３９】
前記実施例は一例を示すものに過ぎず、当業者であれば、前記実施例に種々の変更を付加した形態で実施可能であり、本発明はそのような変更形態をも包含するものである。
【符号の説明】
【００４０】
１      給湯器( 温水装置) 
２      外装ケース
７      中和器（所定の機器）
７ａ    中和器本体
７ｂ    キャップ取付部
９      電装ケース
２５    バーナー付属機器取付板（特定の機器の付属部材）
３０    取付金具
３１    本体部
３２    当接部
３３    係止部
３４    支持部
３５    固定部
４０    補助金具
【図１】
2018096547.tif 000003
【図２】
2018096547.tif 000004
【図３】
2018096547.tif 000005
【図４】
2018096547.tif 000006
【図５】
2018096547.tif 000007
【図６】
2018096547.tif 000008
【図７】
2018096547.tif 000009
【図８】
2018096547.tif 000010
【図９】
2018096547.tif 000011